(57)【要約】  【課題】室内のスペースを有効的に活用できる位置に設置し易い内視鏡洗滌消毒装置を提供すること。  【解決手段】  本発明の内視鏡洗滌消毒装置は、内視鏡が設置される洗滌槽を備える装置本体と、流体供給路の一端が接続される流体供給部と、流体排水路の一端が接続される流体排出部と、電力供給ケーブルが接続される電力供給部と、を具備し、前記流体供給部、前記流体排出部及び前記電力供給部が前記装置本体の上部側と下部側とを結ぶ隅部分の垂線上に集約されて夫々配設されている。【選択図】図３
2006081617.tif 000002
【特許請求の範囲】
【請求項１】
内視鏡が設置される洗滌槽を備える装置本体と、
流体供給路の一端が接続される流体供給部と、
流体排水路の一端が接続される流体排出部と、
電力供給ケーブルが接続される電力供給部と、
を具備し、
前記流体供給部、前記流体排出部及び前記電力供給部が前記装置本体の上部側と下部側とを結ぶ隅部分の垂線上に集約されて夫々配設されていることを特徴とする内視鏡洗滌消毒装置。
【請求項２】
前記流体供給部、前記流体排出部及び前記電力供給部は、前記装置本体の背面側の一隅部であって、前記装置本体の上部側と下部側とを結ぶ隅部分の垂線上に集約されて夫々配設されていることを特徴とする請求項１に記載の内視鏡洗滌消毒装置。
【発明の詳細な説明】
【技術分野】
【０００１】
本発明は、使用済みの内視鏡を自動的に洗滌消毒する内視鏡洗滌消毒装置に関する。
【背景技術】
【０００２】
体腔内の検査や治療の目的に使用される内視鏡は、体腔内に挿入する挿入部の外表面だけでなく、送気送水管路、吸引管路、或いは鉗子管路等の各内視鏡管路内にも汚物が付着する。そのため、使用済みの内視鏡は、必ず洗滌、消毒する必要がある。
【０００３】
一般に、内視鏡の洗滌処理、及び消毒処理を行う場合、例えば特許文献１（特開２００２−２６３０６６号公報）に開示されるような内視鏡洗滌消毒装置が使用される。
【０００４】
この内視鏡洗滌消毒装置を使用して内視鏡を洗滌及び消毒する場合、作業者は、洗滌消毒槽内に使用済みの内視鏡をセットすると共に、洗滌消毒装置側と内視鏡に開口する管路接続口とを洗滌チューブを介して接続する。
【０００５】
次いで、処理開始スイッチをＯＮする。すると、最初に洗滌工程が開始され、次いで消毒工程が開始される。
【０００６】
洗滌工程では、先ず、洗滌消毒槽内に洗滌水が供給される。そして、この洗滌水が所定水位に達した後、洗滌が開始される。洗滌水は循環しており、その水流にて内視鏡の外表面が洗滌される。又、各内視鏡管路内は、洗滌消毒槽内の洗滌水を循環ポンプで吸引し、循環ポンプからの吐出される水圧で洗滌が行われる。
【０００７】
そして、洗滌工程が終了すると、消毒工程へ移行するが、その前に、水道水で洗滌水を所定に洗い流す。消毒工程へ移行すると、上述した洗滌工程において供給した洗滌水に代えて、所定の濃度に薄めた消毒液を洗滌消毒槽に供給すると共に、循環ポンプにより、洗滌消毒槽内の消毒液を吸引し、そこから吐出される水圧により内視鏡管路内に消毒液を供給する。内視鏡管路内に消毒液が供給された後は、内視鏡を消毒液にしばらくの間浸漬して消毒する。消毒工程が所定に終了した後、内視鏡を乾燥させて、一連の工程が終了する。
【特許文献１】特開２００２−２６３０６６号公報
【発明の開示】
【発明が解決しようとする課題】
【０００８】
上述したように、内視鏡洗滌消毒装置は、一連の工程中に水道水が供給され、内視鏡を洗滌した洗滌液が排出される。そのため、内視鏡洗滌消毒装置には、給水コネクタ及び排水ブラケットが配設されている。
【０００９】
給水コネクタには、給水ホースの一端が接続され、給水ホースの他端は水道栓に接続される。また、排水口には、排水ホースの一端が接続され、排水ホースの他端は排水口に接続される。さらには、内視鏡洗滌消毒装置には、装置内部の各種電気機器を駆動するための電源ケーブルが設けられている。
【００１０】
これらの給水コネクタ、排水ブラケット及び電源ケーブルは、内視鏡洗滌消毒装置の背面、上面等に設けられるのが一般的である。
【００１１】
ところで、内視鏡洗滌消毒装置は、病院の施設内に設けられる一室に設置される。内視鏡洗滌消毒装置を設置する場合、室内の水道栓、排水口及び電源用コンセントの配置位置及び室内のレイアウトを考慮して配置される。その際、内視鏡洗滌消毒装置は、水道栓、排水口及び電源用コンセントの位置及び室内のレイアウトに対応して室内スペースを確保するために縦置き、横置き等される。
【００１２】
内視鏡洗滌消毒装置には、一般に縦置タイプ又は横置タイプがあり、室内の壁側に沿わせる装置背面が夫々のタイプ別に決められている。つまり、内視鏡洗滌消毒装置は、縦置きタイプ又は横置きタイプにより、室内に設置した状態において、室内の壁面と対向する背面が決められており、その背面から給水コネクタ、排水ブラケット及び電源ケーブルが延出されている。
【００１３】
しかしながら、内視鏡洗滌消毒装置は、設置する室内のレイアウト上、横置きタイプの内視鏡洗滌消毒装置が縦置きで室内配置されたり、縦置きタイプの内視鏡洗滌消毒装置が縦置きで室内配置されたりする。また、病院によっては、１つの室内に内視鏡洗滌消毒装置を複数台設置する場合もあり、室内のスペースを有効的に活用するために、同様に横置きタイプの内視鏡洗滌消毒装置が縦置きで室内配置されたり、縦置きタイプの内視鏡洗滌消毒装置が縦置きで室内配置されたりする。
【００１４】
そのため、室内の水道栓、排水口及び電源用コンセントの設置位置との関係により、給水ホース、排水ホース及び電源ケーブルは、水道栓、排水口及び電源用コンセントに届かず、内視鏡洗滌消毒装置が所望の位置に設置できない場合がある。また、内視鏡洗滌消毒装置の背面から延出する給水コネクタ、排水ブラケット及び電源ケーブルの配設位置がバラバラであると、給水ホース、排水ホース及び電源ケーブルが邪魔となり、内視鏡洗滌消毒装置を所望の位置に設置し難いという問題がある。
【００１５】
ところで、延長ホース及び延長コードを使用して、内視鏡洗滌消毒装置を所望の室内位置に設置することも可能であるが、各ホース及びケーブルが室内に張り巡らされた状態となるため、見た目にも良くなく、病院関係者が各ホース及びケーブルを引掛けてしまう虞がある。すなわち、給水ホース、排水ホース及び電源ケーブルの長さの関係上、水道栓、排水口及び電源用コンセントの設置位置から近い位置に内視鏡洗滌消毒装置が設置出来ることが好ましい。
【００１６】
よって、本発明は、上記事情に鑑み、室内の水道栓、排水口及び電源用コンセント側に給水ホース、排水ホース及び電源ケーブルを向けることができ、室内のスペースを有効的に活用できる位置に設置し易い内視鏡洗滌消毒装置を提供することを目的とする。
【課題を解決するための手段】
【００１７】
上記目的を達成する本発明の内視鏡洗滌消毒装置は、内視鏡が設置される洗滌槽を備える装置本体と、流体供給路の一端が接続される流体供給部と、流体排水路の一端が接続される流体排出部と、電力供給ケーブルが接続される電力供給部と、を具備し、前記流体供給部、前記流体排出部及び前記電力供給部が前記装置本体の上部側と下部側とを結ぶ隅部分の垂線上に集約されて夫々配設されている。
【発明の効果】
【００１８】
本発明によれば、流体供給部、流体排出部及び電力供給部が装置本体の上部側と下部側とを結ぶ隅部分の垂線上に集約されているため、室内のスペースを有効的に活用できる位置に設置し易い内視鏡洗滌消毒装置を実現することができる。
【発明を実施するための最良の形態】
【００１９】
以下、図面に基づいて本発明の一形態を説明する。図１〜図１３に本発明の第１形態を示す。図１〜図３には内視鏡洗滌消毒装置の平面図、正面図、及び図２の右側面図が示されている。
【００２０】
なお、以下の説明において、第１形態の内視鏡洗滌消毒装置１は、後述する操作パネル２５、モニタ２６が配設されている側の側面を装置の前面とし、その反対側の面を装置の背面とする。また、内視鏡洗滌消毒装置１の設置する方向については、背面が室内壁面と対向して装置本体２が設置された状態を縦置きとし、背面が室内壁面と略直交する方向に装置本体２が設置された状態を横置きとして説明する。
【００２１】
内視鏡洗滌消毒装置１は、装置本体２と、その上部を開閉する洗滌カバー３とを有しており、装置本体２の上面（以下「本体上面」と称する）２ｃに洗滌消毒槽４が設けられている。この洗滌消毒槽４は、内視鏡１００（図１２参照）の本体（以下「内視鏡本体」と称する）１０１をセットし、この内視鏡本体１０１を洗滌消毒するものである。
【００２２】
又、本体上面２ｃの背面側隅部（図においては右隅部）に、給水弁を兼用する給水コネクタ５が設けられている。図１、図４に示すように、流体供給部である給水コネクタ５は、装置本体２に対して回動自在に支持されており、図示しない水道栓に流体供給路である給水ホース６を介して接続される。
【００２３】
又、図３に示すように、本体上面２ｃの給水コネクタ５が設けられている背面側隅部に対向する下部側隅部には、流体排出路である排水ホース７が接続されている流体排水部である排水ブラケット８が配設されている。排水ブラケット８は、給水コネクタ５と同一の垂線Ａを中心に回動自在に支持されており、この回転中心に、装置本体２内部に配管されている排水通路（図示せず）の端部が接続され、この排水通路と排水ホース７とが排水ブラケット８を介して連通されている。
【００２４】
なお、垂線Ａは、装置本体２の上面側と下面側の上下に対向する一対の隅部分を結んだ線である。
【００２５】
その結果、給水コネクタ５に接続される給水ホース６及び排水ブラケット８に接続される排水ホース７は、装置本体２に対して垂線Ａ周りに所定の範囲において回動されることにより延出方向が変更自在である。
【００２６】
又、装置本体２の垂線Ａ上の中途にコード引き出し部２ａが形成されており、このコード引き出し部２ａから外部へ電力供給ケーブルである電源コード９が延出されている。
【００２７】
この電源コード９は、コード引き出し部２ａ内に収納可能であり、装置本体２と外部の図示しないコンセントの距離に合わせて延出長が調整される。なお、電源コード９は、可撓性を有しているため、所望の方向へ向けて延出自在である。
【００２８】
つまり、給水ホース６、排水ブラケット８及びコード引き出し部２ａは、装置本体２の背面において、本体上面２ｃ側と下部側の上下に対向する一対の隅部分を結んだ垂線Ａ上に集約され、夫々配設されている。換言すれば、給水ホース６、排水ブラケット８及びコード引き出し部２ａは、装置本体２ｃの背面における各側壁の共通辺上に夫々配設されている。
【００２９】
なお、本形態において給水コネクタ５、排水ブラケット８及び電源コード９は、図において本体上面２ｃ及び下部側の各右隅部を結んだ垂線Ａ上の装置本体２の背面側に配設されているが、装置本体２の上方から見た本体上面２ｃの４つの隅部分と下部側において対向する隅部を結んだいずれかの垂線上に夫々配設されても良い。
【００３０】
図５に示すように、装置本体２内部には、液体洗剤を貯留する洗剤タンク１１、所定濃度に希釈された消毒液を貯留する消毒液タンク１２、アルコールを貯留するアルコールタンク１３、水道栓から供給される水道水を濾過する水フィルタ１４、及びエアフィルタ１５が配設されている。消毒液タンク１２は装置本体２内に固定されている。尚、符号１２ａは消毒液ドレーン口であり、通常は閉弁されている。
【００３１】
又、洗剤タンク１１、アルコールタンク１３、水フィルタ１４、エアフィルタ１５は、各々トレー１１ａ，１３ａ〜１５ａに載置されている。又、各トレー１１ａ，１３ａ〜１５ａは、装置本体２の前面扉２ｂを開放することで、前方へ引き出し自在にされており、所定に液体を補充し、或いは部品を交換することができる。
【００３２】
消毒液タンク１２に消毒液を補充するに際しては、装置本体２の前面扉２ｂを開放し、装置内部に固設されているボトルコネクタ１６に対して、消毒液が充填されてい消毒液ボトル１７を接続することで行う。又、その際、希釈弁１８を介して、水フィルタ１４によって濾過された水道水が消毒液タンク１２に供給される。従って、消毒液タンク１２には所定濃度に希釈された消毒液が貯留される。尚、図５には、各トレー１１ａ，１３ａ〜１５ａが引き出された状態が示されている。
【００３３】
図６には本体上面２ｃが洗滌カバー３を外した状態で示されている。本体上面２ｃに配設されている洗滌消毒槽４は、内視鏡本体１０１を収容する収容凹部４ａが横長の楕円状に形成されており、この収容凹部４ａの外周壁面、及び内周壁面に高圧ノズル１９が所定間隔毎に配設されている。又、収容凹部４ａの底面に排水口２０が設けられている。更に、収容凹部４ａの外周壁面の一側に循環口２１が設けられている。
【００３４】
又、本体上面２ｃの給水コネクタ５が配設されている側の角部に洗剤ノズル２２、消毒液ノズル２３、給水・循環ノズル２４が配設されている。更に、本体上面２ｃの前面側に、操作パネル２５、液晶装置などを用いたモニタ２６が配設されている。
【００３５】
図５に示すように、洗剤ノズル２２は、洗剤タンク１１に洗剤ポンプ２７を介して連通されており、又、消毒液ノズル２３は薬液ポンプ２８を介して消毒液タンク１２に連通されている。更に、給水・循環ノズル２４は三方弁２９を介して水フィルタ１４と流液ポンプ３０とに選択的に接続自在にされている。
【００３６】
給水・循環ノズル２４が三方弁２９を介して水フィルタ１４側に接続された状態では、給水・循環ノズル２４から水フィルタ１４によって濾過された水道水が吐出される。一方、給水・循環ノズル２４が三方弁２９を介して流液ポンプ３０に接続された状態では、循環口２１から取り入れた収容凹部４ａに貯留されている洗滌水、或いは消毒液が吐出されて循環される。尚、図示しないが給水・循環ノズル２４と三方弁２９との間に高圧ノズル１９が高圧ポンプを介して接続されており、この高圧ノズル１９からも給水・循環ノズル２４と同様の液体（水道水、洗滌水）が高圧で噴出される。この高圧ノズル１９、及び給水・循環ノズル２４から吐出される液体により収容凹部４ａ内に水流が発生し、この水流により内視鏡本体１０１の外表面が、洗滌工程においては洗滌され、すすぎ工程においては洗滌液、或いは消毒液が洗い流される。
【００３７】
ここで、図１２、図１３を参照して、本形態で採用する内視鏡１００の構成について説明する。
【００３８】
同図に示すように、内視鏡１００は、内視鏡本体１０１とユニバーサルコード１０２とで構成されており、両部品１０１，１０２は分離自在にされている。ユニバーサルコード１０２はディスポーザブルタイプであり、内視鏡検査終了毎に廃棄される。従って、洗滌、消毒を要する部分は内視鏡本体１０１のみとなる。
【００３９】
内視鏡本体１０１は、手元側の操作部１０４と、この操作部１０４から延出する挿入部１０５とを備えている。又、挿入部１０５の手元側には本体側管路コネクタ部１０５ａが設けられており、この本体側管路コネクタ部１０５ａに、ユニバーサルコード１０２の基端に設けられている管路コネクタ受け部１０２ａが接続される。尚、図示しないが、管路コネクタ部１０５ａと管路コネクタ受け部１０２ａとはフック等を介して機械的に嵌合固定される。
【００４０】
内視鏡本体１０１の挿入部１０５には、内視鏡管路を代表する送気管路１０６、送水管路１０７、副送水管路１０８、吸引管路１０９等が、本体側管路コネクタ部１０５ａから先端側へ配設されて、先端面（内視鏡先端面）に開口されている。尚、送気管路１０６と送水管路１０７とは、先端側の中途において集合されて内視鏡先端面に開口されている。
【００４１】
又、本体側管路コネクタ部１０５ａには、各管路１０６〜１０９の基端に連通する接続口としての管路口金１０６ａ〜１０９ａが設けられている。
【００４２】
この各管路口金１０６ａ〜１０９ａに、ユニバーサルコード１０２の管路コネクタ受け部１０２ａに配設されている口金１２６ａ〜１２９ａが各々接続される。この各口金１２６ａ〜１２９ａに、ユニバーサルコード１０２内に配設された管路１２６〜１２９の基端側が接続されている。この各管路１２６〜１２９の先端側は、ユニバーサルコード１０２の延出端側に設けたスコープコネクタ部１０２ｂに開口されている。尚、管路コネクタ受け部１０２ａには、吸引管路１０９に連通する管路１２９に分岐接続する鉗子口１１０が開口されており、この鉗子口１１０が鉗子栓１１０ａで閉塞自在にされている。
【００４３】
ユニバーサルコード１０２に設けたスコープコネクタ部１０２ｂは、図示しない内視鏡制御ユニットに接続される。内視鏡制御ユニットには、内視鏡１００に駆動用電力を供給する電源部や、送気管路１０６（１０６ｂ）、送水管路１０７（１０７ｂ）に送気、送水するための切換バルブ、副送水管路１０８（１０８ｂ）に送水するためのバルブ、吸引管路１０９（１０９ｂ）に負圧を供給するためのバルブ等が設けられている。
【００４４】
一方、内視鏡１００の先端面には、被写体を撮像するＣＣＤ等からなる撮像手段としての撮像素子１１１、被写体を照明するＬＥＤ等からなる照明手段としての照明素子１１２が配設されている。この両素子１１１，１１２が、操作部１０４に設けた内視鏡側制御回路１１３に接続されている。
【００４５】
内視鏡側制御回路１１３は電源回路を備えており、照明素子１１２に発光用電源を供給する。更に、内視鏡側制御回路１１３は、撮像素子１１１で撮像した画像信号を信号処理する映像処理手段としての映像処理部、及び操作信号入力部、及び機種番号等のスコープ個体情報、認識情報、修理、洗滌回数等の各種履歴情報等、当該内視鏡本体１０１に関する情報を記憶する記憶手段としての読み書き自在な不揮発性メモリ素子等を有している。
【００４６】
操作部１０４の外周には、内視鏡先端部を湾曲操作するトラックボール１１４、送気・送水を代表とする各種操作を行うスコープスイッチ１１５ａ〜１１５ｃ等の各操作スイッチ類が配設されており、この各操作スイッチ類からの操作信号が、内視鏡側制御回路１１３に設けた操作信号入力部に入力される。
【００４７】
内視鏡側制御回路１１３は、撮像素子１１１で撮像した画像信号、及び各操作スイッチ類から出力される操作信号に対応する信号を、操作部１０４に内蔵する送受信アンテナ１１６を介して、内視鏡制御ユニットに無線送信する。内視鏡制御ユニットでは、内視鏡側制御回路１１３から送信された信号に基づき、モニタ（図示せず）に内視鏡像を表示すると共に、各操作信号に対応して、各管路１０６（１０６ｂ）〜１０８（１０９ｂ）に連通するバルブを動作させて、送気・送水等の制御動作を行う。
【００４８】
このように、各管路１０６（１０６ｂ）〜１０８（１０９ｂ）に対する送気・送水等の制御動作は、内視鏡制御ユニットに設けたバルブで行われるため、内視鏡本体１０１に配設されている各管路１０６〜１０８には、バルブやこれを動作させる機構が内蔵されておらず、しかもユニバーサルコード１０３が内視鏡本体１０１から分離されているため、各管路１０６〜１０８はほぼストレート状の配管となる。
【００４９】
内視鏡側制御回路１１３に設けた電源回路に対する電力は、ユニバーサルコード１０２を介して内視鏡制御ユニットに設けた電源部（図示せず）から供給される。ユニバーサルコード１０２のスコープコネクタ部１０２ｂには二次側送受信コイル１１７ａが設けられ、この二次側送受信コイル１１７ａに対して電磁誘導結合する一次側送受信コイル（図示せず）が内視鏡制御ユニットに設けられている。
【００５０】
又、ユニバーサルコード１０２の管路コネクタ受け部１０２ａには、二次側送受信コイル１１７ａに接続する一次側送受信コイル１１７ｂが設けられ、この一次側送受信コイル１１７ｂに電磁誘導結合する二次側送受信コイル１１８が、内視鏡本体１０１の本体側管路コネクタ部１０５ａに設けられている。従って、電源回路には、内視鏡制御ユニット側から非接触状態で電力が伝送される。
【００５１】
又、本体側管路コネクタ部１０５ａには、漏水検知用接続口としての漏水検知用口金１１９が設けられている。この漏水検知用口金１１９は内視鏡本体１０１内に連通されており、漏水検知用口金１１９からエアーを送り込むことで内圧を高め、その漏れ具合から内視鏡本体１０１の外表面に小さな孔、亀裂等が開いているか否かを調べる。又、操作部１０４内に内圧検出手段としての圧力センサ１２０が配設されている。内視鏡側制御回路１１３では圧力センサ１２０で検出した内視鏡本体１０１の内圧に基づいて、内視鏡本体１０１内に漏水、すなわち亀裂等による漏れが発生しているか否かを調べる。
【００５２】
更に、各管路１０６〜１０８に状態検出手段としての管路センサ１２１が配設されている。管路センサ１２１は、流量センサ、圧力センサ、透明度センサ等、各管路１０６〜１０９の状態を検出するセンサの総称であり、各センサにより各管路１０６〜１０８内を流れる流体の流量、圧力、透明度を検出する。
【００５３】
一方、図５、図６に示すように、内視鏡洗滌消毒装置１に設けた洗滌消毒槽４の一側に、内視鏡本体１０１に設けた本体側管路コネクタ部１０５ａに接続する内視鏡接続部３１が配設され、更に、図６、図９に示すように、内視鏡本体１０１に設けた送受信アンテナ１１６からの信号を受信し、或いはこの送受信アンテナ１１６に対して送信する装置側送受信アンテナ３２が設けられている。
【００５４】
内視鏡接続部３１は、基本的に、上述したユニバーサルコード１０２に設けられている管路コネクタ受け部１０２ａと同様の構成を有している。詳細には、図１０に示すように、内視鏡接続部３１の先端面に、受け側接続口としての受け側口金３６ａ〜３９ａ，４０が配設されていると共に、内視鏡本体１０１の本体側管路コネクタ部１０５ａに設けられている二次側送受信コイル１１８に電磁誘導結合する一次側送受信コイル３３が設けられている。従って、内視鏡本体１０１の内視鏡側制御回路１１３に設けた電源回路に対しては、装置本体２側から電力が非接触状態で伝送される。
【００５５】
又、内視鏡接続部３１に設けた各受け側口金３６ａ〜３９ａ，４０は、内視鏡本体１０１の本体側管路コネクタ部１０５ａに設けられている各管路口金１０６ａ〜１０９ａ、及び漏水検知用口金１１９に対応した位置に配設されている。本体側管路コネクタ部１０５ａを内視鏡接続部３１に接続すると、本体側管路コネクタ部１０５ａ側の各受け側口金３６ａ〜３９ａ，１１９が内視鏡接続部３１の受け側口金３６ａ〜３９ａ，４０に接合される。この内視鏡接続部３１には、着脱手段として電磁石ユニット５６（図１１参照）が配設されており、本体側管路コネクタ部１０５ａの各口金１０６ａ〜１０９ａ，１１９を内視鏡接続部３１の受け側口金３６ａ〜３９ａ，４０に接合し、所定に位置決めした状態で、装置本体２の操作パネル２５に設けられているスタートスイッチ（図示せず）をＯＮすると、電磁石ユニット５６の電磁石５６ｂが励磁され、本体側管路コネクタ部１０５ａが内視鏡接続部３１に吸着固定される。尚、本形態では内視鏡接続部３１の着脱手段を電磁石方式としてるが、空気圧を用いたり、機械的移動手段を用いた着脱手段であっても良い。
【００５６】
各受け側口金３６ａ〜３９ａには、１本の洗滌消毒チューブ４１ａが分岐接続されており、この洗滌消毒チューブ４１ａが四方弁から成るチャンネルブロック４２の吐出口に連通されている。又、チャンネルブロック４２の３つに分岐された各流入口には、循環口２１とアルコールタンク１３とコンプレッサ４４とが各々連通されている。又、循環口２１とチャンネルブロック４２との間に循環口２１から流体（水道水、洗滌水、消毒液）を吸引するチャンネルポンプ４３が介装されている。更に、アルコールタンク１３とチャンネルブロック４２との間に、流路を開閉するアルコール弁４５が介装されている。又、コンプレッサ４４とチャンネルブロック４２との間にエアフィルタ１５が介装されている。
【００５７】
チャンネルブロック４２を切換え動作させて、各流入口を吐出口な対し選択的に連通させることで、各受け側口金３６ａ〜３９ａから洗滌消毒槽４に貯留されている液体（水道水、洗滌水、消毒液）、或いはアルコールタンク１３に貯留されているアルコール、或いはコンプレッサ４４からのエアーが供給される。
【００５８】
一方、口金４０には漏水検知チューブ４１ｂを介して漏水検知ポンプ４６が接続されており、この漏水検知チューブ４１ｂに締切り弁４７が介装されている。内視鏡本体１０１の外表面に小さな孔、亀裂等が開いているか否かのを検知するに際しては、先ず、締切り弁４７を開放し、漏水検知ポンプ４６からのエアーを漏水検知用口金１１９を介して内視鏡本体１０１の内部に供給し、内圧を所定に高める。その後、締切り弁４７を閉弁させて、内視鏡本体１０１に内圧を保持させる。そして、その間の内視鏡本体１０１の内圧の変化から、内視鏡本体１０１の外表面に小さな孔、亀裂等が開いているか否かを調べる。この内圧の変化は、内視鏡本体１０１に設けた圧力センサ１２０で検出する。尚、符号４８は排気弁であり開弁することで、漏水検知ポンプ４６及びコンプレッサ４４からのエアーを外部に逃がすことができる。
【００５９】
又、洗滌消毒槽４には超音波振動子４９、吸水管消毒用コネクタ５０、洗滌ケース５１等が所定に配設され、更に、排水口２０に切換弁５２が配設されている。超音波振動子４９は洗滌消毒槽４に貯留される洗滌水、或いは水道水に振動を与えて、内視鏡本体１０１の外表面を超音波洗滌、或いはすすぐものである。吸水管消毒用コネクタ５０は、これに消毒液ノズル２３をホース等を介して接続し、水フィルタ１４に連通する給水管に消毒液を供給し、この給水管を消毒するものである。又、洗滌ケース５１は、これに内視鏡本体１０１の各スコープスイッチ１１５ａ〜１１５ｃのボタン等、内視鏡本体１０１に併設されている取り外し可能な部品を収容して、内視鏡本体１０１と一緒に洗滌、消毒させるものである。
【００６０】
更に、排水口２０に配設されている切換弁５２は、排水時の排水路を切換えるもので、洗滌消毒槽４に水道水或いは洗滌水が貯留されている場合は、排水口２０を排水ホース７側に連通させて、そのまま排水させる。一方、洗滌消毒槽４に消毒液が貯留されている場合は、排水口２０を消毒液タンク１２側に連通させて、消毒済みの消毒液を消毒液タンク１２に回収する。従って、消毒液は繰り返し利用される。
【００６１】
各弁２９，４２，４５，５２の切換え動作は、装置本体２に内蔵されている装置側制御回路５３にて制御される。図１１に示すように、装置側制御回路５３の入力側には、各センサ類を含むセンサ系１３０、及び装置側送受信アンテナ３２に接続する送受信ユニット５４等が接続されている。又、出力側に、一次側送受信コイル３３に電源を供給する非接触電源送受信ユニット５５、電磁石ユニット５６、各種ポンプ２７，２８，３０，４３，４６、及び各弁２９，４２，４５，５２等の駆動系１３１、内視鏡像等を表示するモニタ２６、操作パネル２５等が接続されている。電磁石ユニット５６は、電磁石５６ｂと、この電磁石５６ｂを励磁するスコープ着脱制御回路５６ａとを備えている。
【００６２】
更に、装置側制御回路５３にはセンサ制御回路５７、映像処理回路５８、スコープメモリＲ／Ｗ回路５９が設けられている。センサ制御回路５７は、送受信ユニット５４で受信した内視鏡本体１０１から送信された、画像情報、センサ情報、内視鏡本体１０１の機種番号等のスコープ個体情報、認識情報、修理履歴、洗滌回数等の履歴情報を受信し処理する。
【００６３】
映像処理回路５８は、画像情報を信号処理してモニタ２６に映像信号として出力し、モニタ２６に内視鏡像を表示させる。尚、洗滌、消毒中に内視鏡像をモニタ２６で確認することで、撮像素子１１１が正常に作動しているか否かを確認することができる。
【００６４】
スコープメモリＲ／Ｗ回路５９は、内視鏡本体１０１のスコープ個体情報を読込み、その情報をモニタ２６に表示させると共に、メモリ素子に記憶する。更に、スコープメモリＲ／Ｗ回路５９では、今回の洗滌、消毒の日時等の情報を送受信ユニット５４を介して内視鏡本体１０１側へ送信し、内視鏡本体１０１の内視鏡側制御回路１１３に設けられているメモリ素子に書込む。尚、モニタ２６には、内視鏡像、スコープ個体情報以外に、洗滌残時間、消毒残時間等、洗滌、消毒に関する情報が表示される。又、操作パネル２５にはスタートスイッチ以外に、モード選択スイッチ等の設定スイッチ類が配設されている。
【００６５】
次に、このような構成による内視鏡洗滌消毒装置１を用いて、使用済みの内視鏡１００を洗滌及び消毒する際、内視鏡検査を終了した使用済みの内視鏡１００は、先ず、ディスポーザブルタイプのユニバーサルコード１０２の管路コネクタ受け部１０２ａを、内視鏡本体１０１の本体側管路コネクタ部１０５ａから取り外し、所定に廃棄処理する。その後、内視鏡本体１０１を、ベットサイドにて予備洗滌する。
【００６６】
次いで、内視鏡洗滌消毒装置１を用いた本洗滌を行う。本洗滌を行うに際しては、先ず、内視鏡洗滌消毒装置１の洗滌カバー３を開放し、装置本体２の上面に設けられている洗滌消毒槽４に内視鏡本体１０１をセットする。尚、洗滌消毒槽４の収容凹部４ａの底面には保持網（図示せず）が敷設されている。
【００６７】
内視鏡本体１０１を洗滌消毒槽４にセットするに際し、内視鏡本体１０１の本体側管路コネクタ部１０５ａを、洗滌消毒槽４の外周壁面に設けられている内視鏡接続部３１に対設させる。内視鏡接続部３１は、基本的にユニバーサルコード１０２の管路コネクタ受け部１０２ａと同一の構成を有しており、互いに接合可能な構造となっている。
【００６８】
そして、作業者は、洗滌消毒槽４に内視鏡本体１０１を所定にセットした後、洗滌カバー３を閉じて、電源スイッチをＯＮする。すると、装置本体２に内蔵されている装置側制御回路５３に電源が投入され、所定の洗滌消毒工程が起動される。
【００６９】
以上のように構成された内視鏡洗滌消毒装置１は、給水コネクタ５及び排水ブラケット８が装置本体２の垂線Ａ周りに所定の範囲に回動自在に支持されているため、給水ホース６及び排水ホース７の所望の方向に延出することができる。また、電源コード９もその可撓性を利用して、所望の方向に延出することができる構成となっている。
【００７０】
従って、給水コネクタ５に一端が接続され、他端が水道栓に接続される給水ホース６と、排水ブラケット８に一端が接続され、他端が排水口に接続される排水ホース７と、コンセントに接続される電源コード９とは、夫々、水道栓、排水口及びコンセントに向けて延出させることができる。
【００７１】
その結果、給水ホース６及び排水ホース７は、水道栓及び排水口に接続できる最短長のみとすることができ、電源コード９は必要長だけコード引き出し部２ａから引き出すのみで良い。また、給水コネクタ５、排水ブラケット８及び電源コード９が装置本体２の背面の上部側（本体上面２ｃ）の隅部と、その隅部と装置本体２の下部側において対向する隅部を結んだ垂線上に集約され、夫々配設されているため、給水ホース６、排水ホース７及び電源コード９は、バラバラとならないように一束に纏められ易くなる。
【００７２】
又、装置本体２は、縦置き又は横置きによる配置方向が問われることなく、給水ホース６及び排水ホース７には、無理な負荷が与えられることが解消される。
【００７３】
内視鏡洗滌消毒装置１が病院の施設内に複数台設置されても、給水コネクタ５、排水ブラケット８及び電源コード９が配設される隅部が共通部分となる装置本体２の２側面を選択的に室内の壁面と対向するように設置すれば、給水コネクタ５、排水ブラケット８及び電源コード９は、常に室内の壁面側に位置する。そのため、内視鏡洗滌消毒装置１を室内のレイアウトに対応させて所望の縦置き又は横置きに設置しても、給水ホース６、排水ホース７及び電源コード９が邪魔になり難く、複数の内視鏡洗滌消毒装置１を並設し易くなる。
【００７４】
以上の結果、本実施形態の内視鏡洗滌消毒装置１を病院の施設内に設けられる一室に設置する場合、室内の水道栓、排水口及びコンセントの位置に合わせて、給水ホース６、排水ホース７及び電源コード９が邪魔になり難く、室内のレイアウトを考慮して内視鏡洗滌消毒装置の配置の位置決めができる。そして、内視鏡洗滌消毒装置１は、水道栓、排水口及び電源用コンセントの位置や室内のレイアウトに対応し、設置し易くなると共に、縦置きや横置きが選択自在となり、室内のスペースを有効的に確保することができる。
【図面の簡単な説明】
【００７５】
【図１】第１形態による内視鏡洗滌消毒装置の平面図
【図２】同、内視鏡洗滌消毒装置の正面図
【図３】同、図２の右側面図
【図４】同、図１の要部斜視図
【図５】同、内視鏡洗滌消毒装置の概略構成図
【図６】同、洗滌消毒槽の平面図
【図７】同、図６のＶＩＩ−ＶＩＩ断面概略図
【図８】同、図６のＶＩＩＩ−ＶＩＩＩ断面概略図
【図９】同、内視鏡本体をセットした状態の洗滌消毒槽の平面図
【図１０】同、図９の要部拡大図
【図１１】同、内視鏡洗滌消毒装置の内部回路を示す概略構成図
【図１２】同、内視鏡の概略断面図
【図１３】同、図１２のＸＩＩＩ部拡大図
【符号の説明】
【００７６】
１…内視鏡洗滌消毒装置、２…装置本体、２ａ…コード引き出し部、３…洗滌カバー、５…給水コネクタ、６…給水ホース、７…排水ホース、８…排水ブラケット、Ａ…垂線
代理人    弁理士    伊  藤    進
【図１】
2006081617.tif 000003
【図２】
2006081617.tif 000004
【図３】
2006081617.tif 000005
【図４】
2006081617.tif 000006
【図５】
2006081617.tif 000007
【図６】
2006081617.tif 000008
【図７】
2006081617.tif 000009
【図８】
2006081617.tif 000010
【図９】
2006081617.tif 000011
【図１０】
2006081617.tif 000012
【図１１】
2006081617.tif 000013
【図１２】
2006081617.tif 000014
【図１３】
2006081617.tif 000015